(57)【要約】      （修正有）【課題】剥離剤を使用せず開封容易な容器を可能にする紙容器ヒートシール用加熱装置を提供する。【解決手段】内外面に熱可塑性樹脂層を積層した積層材料の筒状体１の、頂部２の加熱すべき部分に熱風を吹き付けて、熱可塑性樹脂層を加熱・圧着して密封する紙容器ヒートシール用加熱装置３であって、外面加熱ヒータ９と内面加熱ヒータ４とが、加熱すべき部分に対向して熱風噴射ノズル５を有し、内面加熱ヒータ４が内部に隔壁で断熱された熱風流路６と冷風流路７を有し、加熱忌避部分に対向して冷風噴射ノズル８を備える。【選択図】図１
2005162295.tif 000002
【特許請求の範囲】
【請求項１】
内外面に熱可塑性樹脂層を積層した積層材料の筒状体の、底部または頂部の加熱すべき部分に熱風を吹き付けて、前記熱可塑性樹脂層を加熱・圧着して密封する紙容器ヒートシール用加熱装置であって、容器内面を加熱する内面加熱ヒータが、加熱すべき部分に対向して熱風噴射ノズルを有し、加熱忌避部分に対向して冷却手段を備えることを特徴とする加熱装置。
【請求項２】
内面加熱ヒータが内部に隔壁で断熱された熱風流路と冷風流路を有し、加熱忌避部分に対向して熱風噴射ノズルを備える、請求項１の加熱装置。
【請求項３】
内面加熱ヒータが熱風流路と断熱的に併設された冷却水チャンバーを有し、冷却水チャンバー面が加熱忌避部分に対向して備えられて熱輻射を抑制する、請求項１の加熱装置。
【請求項４】
内面加熱ヒータが熱風流路と断熱的に併設された冷却水チャンバーを有し、冷却水チャンバー面に加熱忌避部分に対向して冷風噴射ノズルを備える、請求項１の加熱装置。
【発明の詳細な説明】
【技術分野】
【０００１】
本発明は、ジュース等飲料の液体紙容器の包装充填に用いる紙容器ヒートシール用加熱装置に関する。
【背景技術】
【０００２】
内外面に熱可塑性樹脂層を設けた紙積層材料からなる筒状体の底部、頂部の密封は、熱風を密封部分に吹きつけて、熱可塑性樹脂層を軟化／溶融して圧着し、密封して図７に示すような屋根型紙容器７１を得る。紙容器５０の頂部の密封は、図５に示すように、紙容器ヒートシール用加熱装置５１を用いる。加熱装置５１は、内面加熱ヒータ５２と外面加熱ヒータ５３、５３とからなる。それぞれ側面に熱風を吹き出すための円形又はスリット状の小孔５４を多数配置したパターンからなる。液体紙容器の加熱すべき部分に熱風を吹きつけて、熱可塑性樹脂層を加熱溶融し、圧着する。
【０００３】
加熱装置の内面加熱ヒータ５２と外面加熱ヒータ５３、５３とは、図６に示すように、密封する底部や頂部を仮折りした状態と相似形をしている。仮折りした密封部分を均一に加熱溶融するため、隅部には、吹きつける熱風の量が他の部分より多くするため、熱風を吹き出す小孔熱風噴射ノズルの数を他の部分より多くしたり、スリット状に熱風噴射ノズルを設けたりしている。
【特許文献１】特開平１０−１０１００３号公報
【特許文献２】特開平１０−５３２０４号公報
【０００４】
屋根型容器は、密封された頂部を開封して使用される。一般的に開封し易くするために開封箇所内面に剥離剤が塗布されている。図２の容器展開図に示すように、パネル２外面（開封口外側）の加熱すべき部分２ａに対向する熱風噴射ノズルからの熱風により、しかも、他のパネルの加熱すべき部分に対向する熱風噴射ノズルからの熱風による雰囲気の中で、パネル２内面（開封口内側）の加熱忌避部分２bが、熱伝導により加熱され、次工程の頂部密封において、加熱忌避部分２bが接着する。剥離剤が塗布されていないと、開封しづらくなるからである。
【発明の開示】
【発明が解決しようとする課題】
【０００５】
剥離剤は食品と間接若しくは直接に接触する可能性があるために、剥離剤を使用せず開封容易な容器が望まれている。
本発明の目的は、剥離剤を使用せず開封容易な容器を可能にする紙容器ヒートシール用加熱装置を提供することである。
【課題を解決するための手段】
【０００６】
本発明の加熱装置は、内外面に熱可塑性樹脂層を積層した積層材料の筒状体の、底部または頂部の加熱すべき部分に熱風を吹き付けて、前記熱可塑性樹脂層を加熱・圧着して密封する紙容器ヒートシール用加熱装置であって、容器内面を加熱する内面加熱ヒータが、加熱すべき部分に対向して熱風噴射ノズルを有し、加熱忌避部分に対向して冷却手段を備えることを特徴とする。
【０００７】
この発明の好ましい態様の紙容器ヒートシール用加熱装置は、内面加熱ヒータが内部に隔壁で断熱された熱風流路と冷風流路を有し、加熱忌避部分に対向して熱風噴射ノズルを備える。
【０００８】
この発明の好ましい別の態様の紙容器ヒートシール用加熱装置は、内面加熱ヒータが熱風流路と断熱的に併設された冷却水チャンバーを有し、冷却水チャンバー面が加熱忌避部分に対向して備えられて熱輻射を抑制する。
【０００９】
この発明の好ましい更に別の態様の紙容器ヒートシール用加熱装置は、内面加熱ヒータが熱風流路と断熱的に併設された冷却水チャンバーを有し、冷却水チャンバー面に加熱忌避部分に対向して冷風噴射ノズルを備える。
【発明の効果】
【００１０】
パネル２外面（開封口外側）の加熱すべき部分に対向する熱風噴射ノズルからの熱風により、パネル２内面（開封口内側）の加熱忌避部分が、熱伝導により加熱されても、この発明においては、加熱忌避部分に対向して冷却手段を備えるので、加熱忌避部分のポリエチレン等の熱可塑性樹脂層が軟化／溶融することがなく、次工程の頂部密封において、加熱忌避部分２bが接着することがない。
【００１１】
剥離剤が塗布されていなくとも、開封しづらくなることがない。剥離剤を使用すれは、剥離剤が食品と間接若しくは直接に接触するが、そのような可能性も無い。
剥離剤を使用せず開封容易な容器を可能にする紙容器ヒートシール用加熱装置を提供することができる。
【発明を実施するための最良の形態】
【００１２】
以下、本発明の実施の形態について図面を参照しながら詳細に説明する。
図１に、本発明の実施の第１の形態の斜視概略図を示す。
第１の形態の加熱装置は、内外面に熱可塑性樹脂層を積層した積層材料の筒状体１の、頂部２の加熱すべき部分に熱風を吹き付けて、熱可塑性樹脂層を加熱・圧着して密封する紙容器ヒートシール用加熱装置３であって、容器外面を加熱する外面加熱ヒータ９と容器内面を加熱する内面加熱ヒータ４が、加熱すべき部分に対向して熱風噴射ノズル５を有し、加熱忌避部分に対向して冷却手段を備える。その加熱装置３は、内面加熱ヒータ４が内部に隔壁で断熱された熱風流路６と冷風流路７を有し、加熱忌避部分に対向して冷風噴射ノズル８を備える。
【００１３】
第１の形態の加熱装置を使用して、内外面に熱可塑性樹脂層を設けた紙積層材料からなる筒状体の頂部を密封する。加熱装置３の内面加熱ヒータ４と外面加熱ヒータ９とは、密封する頂部を仮折りした状態と相似形をしている。仮折りした密封部分を均一に加熱溶融するため、加熱すべき部分に対向して熱風噴射ノズル５から、熱風を吹きつける。
熱風を密封部分に吹きつけて、熱可塑性樹脂層を軟化／溶融して圧着し、密封して図７に示すような屋根型紙容器７１を得る。
【００１４】
図２に、内側の容器展開図（ａ）及び外側の容器展開図（ｂ）に示す。パネル５の斜線部分を除いて、容器頂部の斜線部分が、加熱すべき部分に対応する。容器内面を加熱する内面加熱ヒータ４が、容器内面の斜線部分を選択的に加熱する。他方、容器外面を加熱する外面加熱ヒータ９が、容器外面の斜線部分を選択的に加熱する。
内面加熱ヒータ４は、加熱忌避部分２ｂに対向して冷風噴射ノズル８を備え、冷風噴射ノズル８から冷風を加熱忌避部分２ｂに向けて噴射する。加熱忌避部分を選択的に冷却する。
【００１５】
内面加熱ヒータ４が、冷風流路７を熱風流路６と隔壁で断熱するので、熱のロスは無い。
他のパネルの加熱すべき部分に対向する熱風噴射ノズルからの熱風による雰囲気の中であっても、パネル２外面（開封口外側）の加熱すべき部分２ａに対向する熱風噴射ノズルからの熱風により、パネル２内面（開封口内側）の加熱忌避部分２bが、熱伝導により加熱されることがない。
【００１６】
この発明の好ましい別の態様の紙容器ヒートシール用加熱装置を、図３の断面図に示す。
この加熱装置は、内外面に熱可塑性樹脂層を積層した積層材料の筒状体１の、頂部の加熱すべき部分に熱風を吹き付けて、熱可塑性樹脂層を加熱・圧着して密封する紙容器ヒートシール用加熱装置であって、容器外面を加熱する外面加熱ヒータ９と容器内面を加熱する内面加熱ヒータ４が、加熱すべき部分に対向して熱風噴射ノズル５を有し、加熱忌避部分２ｂに対向して冷却手段を備える。その加熱装置は、内面加熱ヒータ４が熱風流路４ａと断熱的に併設された冷却水チャンバー４ｂを有し、冷却水チャンバー面４ｃが加熱忌避部分２ｂに対向して備えられている。
【００１７】
容器内面を加熱する内面加熱ヒータ４が、容器内面の斜線部分を選択的に加熱する。他方、容器外面を加熱する外面加熱ヒータ９が、容器外面の斜線部分を選択的に加熱する。
内面加熱ヒータ４には、冷却水チャンバー面４ｃが加熱忌避部分２ｂに対向して備えられ、他からの熱輻射を抑制する。加熱忌避部分を選択的に冷却することができる。
【００１８】
この発明の好ましい更に別の態様の紙容器ヒートシール用加熱装置を、図４の断面図に示す。
この加熱装置は、内外面に熱可塑性樹脂層を積層した積層材料の筒状体１の、頂部の加熱すべき部分に熱風を吹き付けて、熱可塑性樹脂層を加熱・圧着して密封する紙容器ヒートシール用加熱装置であって、容器外面を加熱する外面加熱ヒータ９と容器内面を加熱する内面加熱ヒータ４が、加熱すべき部分に対向して熱風噴射ノズル５を有し、加熱忌避部分２ｂに対向して冷却手段を備える。その加熱装置は、内面加熱ヒータ４が熱風流路４ａと断熱的に併設された冷却水チャンバー４ｂを有し、冷却水チャンバー面４ｃが加熱忌避部分２ｂに対向して備えられている。
【００１９】
容器内面を加熱する内面加熱ヒータ４が、容器内面の斜線部分を選択的に加熱する。他方、容器外面を加熱する外面加熱ヒータ９が、容器外面の斜線部分を選択的に加熱する。
内面加熱ヒータ４には、冷却水チャンバー面の冷風噴射ノズル４dが加熱忌避部分２ｂに対向して備えられ、冷風を加熱忌避部分２ｂに向けて噴射する。加熱忌避部分を選択的に冷却することができる。
この態様の冷却水チャンバーには、冷風噴射ノズル４dに冷風を送る流路（図示せず）を有する。
【００２０】
なお、本発明は前記実施の形態に限定されるものではなく、本発明の趣旨に基づいて種々変形させることが可能であり、それらを本発明の範囲から排除するものではない。
【産業上の利用可能性】
【００２１】
この発明の紙容器ヒートシール用加熱装置は、牛乳、ジュース、ミネラルウォーターなどの飲料、流動食品などの包装容器の製造に利用することができる。
【図面の簡単な説明】
【００２２】
【図１】本発明の実施形態の紙容器ヒートシール用加熱装置の斜視概略図
【図２】包装容器の展開図
【図３】本発明の別の実施形態の紙容器ヒートシール用加熱装置の概略断面図
【図４】本発明の更に別の実施形態の紙容器ヒートシール用加熱装置の概略断面図
【図５】従来の紙容器ヒートシール用加熱装置の斜視概略図
【図６】従来の紙容器ヒートシール用加熱装置の概略断面図
【図７】本発明の実施例に使用できる容器の斜視図
【符号の説明】
【００２３】
１  容器
４  内面加熱ヒータ
５  熱風噴射ノズル
９  外面加熱ヒータ
【図１】
2005162295.tif 000003
【図２】
2005162295.tif 000004
【図３】
2005162295.tif 000005
【図４】
2005162295.tif 000006
【図５】
2005162295.tif 000007
【図６】
2005162295.tif 000008
【図７】
2005162295.tif 000009